(57)【要約】【目的】本発明は、机の天板後部に設けられた本立て等に取付けられるブックエンドに関するものであり、書籍の出し入れによってもブックエンドが不測に移動せず、又、本立ての移動によっても、書籍等が転倒せず、又、机上では、ブックエンド以外の使い方が出来るブックエンドを提供する事を目的とする。【構成】ブックエンド載置用棚板に載置され、ブックエンド載置用棚板の後方に形成されたスライド案内溝に、後端下面に設けられた嵌入突部が嵌入して、左右にスライド自在としたものである。【選択図】　　図５
2004049432.tif 000002
【特許請求の範囲】
【請求項１】
ブックエンド載置用棚板に載置され、ブックエンド載置用棚板の後方に形成されたスライド案内溝に、後端下面に設けられた嵌入突部が嵌入して、左右にスライド自在としたことを特徴とするブックエンド。
【請求項２】
嵌入突部はブックエンド本体下面より、出入自在に構成されていることを特徴とする請求項１に記載のブックエンド。
【請求項３】
嵌入突部は、ブックエンド本体の背板下端部で兼用され、背板は、ブックエンド本体に上下動自在に支持されていることを特徴とする請求項２に記載のブックエンド。
【請求項４】
ブックエンド本体は、前面が開口する箱形に形成され、ブックエンド本体に引き出しを設ける事により構成されている事を特徴とする請求項２、又は、請求項３に記載のブックエンド。
【発明の詳細な説明】
【０００１】
【発明の属する技術分野】本発明は机の天板後部に設けられた本立て等に取付けられるブックエンドに関するものである。
【０００２】
【従来の技術】従来、この種のブックエンドは、書籍等の量に応じて、所定間隔を有して本立て等の棚板上に対向して載置されるのが一般的であった。
このため、書籍の出し入れによってブックエンドが移動（特に前後方向）し、書籍等の整理を整然と行う事が困難であった。
又、書籍の倒れ止め機能以外に特別な機能を持たず、机上等で、ブックエンド以外の使い方をすることも出来なかった。
一方、パソコンの普及に伴い、パソコンの机上の設置場所に応じて、左右にスライド可能とした本立て有する書棚が提供されているが、このような本立てに上記ブックエンドを使用すると、本立てを左右にスライドさせたとき、ブックエンド、あるいは、ブックエンド間に収納された書籍が移動、転倒することがあり、使用勝手が非常に悪かった。
【０００３】
【本発明が解決しようとする課題】
本発明は、上記問題点を解決する事を課題とし、書籍の出し入れによってもブックエンドが不測に移動せず、又、本立ての移動によっても、書籍等が転倒せず、又、書籍の量に対応して、移動させることにより、書籍等の整理が整然とおこなわれるだけでなく、机上では、ブックエンド以外の使い方が出来るブックエンドを提供する事を課題とする。
【０００４】
【課題を解決するための手段】
そこで、上記課題を解決する為、本発明の第１の手段として構成したところは、ブックエンド載置用棚板に載置され、ブックエンド載置用棚板の後方に形成されたスライド案内溝に、後端下面に設けられた嵌入突部が嵌入して、左右にスライド自在としたものである。
次に本発明が第２の手段として構成したところは、嵌入突部はブックエンド本体下面より、出入自在に構成されているものである。
【０００５】
次に本発明が第３の手段として構成したところは、嵌入突部は、ブックエンド本体の背板下端部で兼用され、背板は、ブックエンド本体に上下動自在に支持されているものである
次に本発明が第４の手段として構成したところは、ブックエンド本体は、前面が開口する箱形に形成され、ブックエンド本体に引き出しを設ける事により構成されたものである。
【０００６】
【実施例】
図１において、符号１は　書棚を示し、符号２は書棚１に具備された本立てを示し、符号３は、本立て２に設けられたブックエンドを示している。
書棚１は、左右に所定間隔を有して立設された左右側板１１、１１と、左右側板１１，１１の後端間に、上下に所定間隔を有して配設されて案内部１３０が形成された少なくとも２枚の上下後板１３、１３と、左右側板１１，１１の後部下端部間と、下後板１３の下部前面間に配設された補強用継ぎ板１４と、本立て２と、本立て２のいずれか一方の端部と、左右側板１１、１１の内面間に着脱自在に配設された棚板４より構成されている。
符号５は照明器具を示し、照明器具５は、支柱５１と灯具５２より構成され、支柱５１は、下端部が補強用継ぎ板１４の嵌合孔（図示せず。）に嵌合し、上部が上後板１３の前面に飾りネジ等で連結されている。
【０００７】
本立て２は、左右に所定間隔を有して立設された本立て用左右側板２１、２１と、本立て用左右側板２１、２１の上下方向略中間部間に配設された本立て用棚板２２と、ブックエンド載置用棚板２２の下面に配設された左右２つの引出し２３、２３と、ブックエンド載置用棚板２２の上面に設けられたブックエンド３より構成されている。
そして、本立て２の左右幅は本棚１の左右幅の２分の１強の大きさ（図１に示すように、右端に本立て２をよせた状態で、書棚１の左右方向中央部に立設する照明器具５の支柱５１が左側板１１の内面側に位置する大きさ）に形成されており、ブックエンド載置用棚板２２の後端面と書棚１の後板１３間にスライド案内溝２０が形成され、スライド案内溝２０を照明器具５の支柱５１が貫挿している。
【０００８】
本立て用左右側板２１、２１の後端部は、上下後板１３、１３間に突出し、この突出した部分間に補強用後板２４が設けられ、補強用後板２４の左右端部下面に、下後板１３の上面に係合する下向きＬ字形の下部保持片２４１，２４１が取付けられ、補強用後板２４の上端部には上後板１３の下端部後面に係止する上部支持片２４２が取付けられ、下部支持片２４１，２４１の内面には、下後板１３上端面との接触状態を緩和する緩衝材３００が貼付けられている。
そして、本立て用左右側板２１、２１の下端面に、補強用継ぎ板１４の前端上角部に接触するスライド用滑子２１１，２１１が取付けられ、本立て２の重量の一部を支持している。
すなわち、本立て２は、下部保持片２４１，２４１、上部支持片２４２、スライド用滑子２１１，２１１と、上下後板１３，１３、補強用継ぎ板１４にて、書棚１に対し、左右にスライド自在に保持されている。
【０００９】
ブックエンド３は、ブックエンド本体３０１と、ブックエンド本体３０１に出入自在に配設された、上下２つの引き出し３０２、３０２より構成されている。
ブックエンド本体３０１は、左右に所定間隔を有する左右仕切板３１，３１と左右仕切板３１，３１の上下端部間に配設された天板３２と、底板３３と、左右仕切板３１，３１の上下方向中央部間に配設された区画板３４と、左右仕切板３１、３１の後端部間の上下方向に所定範囲で上下動可能に配設された背板３より、前面が開口する箱形に形成され、背板３５が下降した時、前記スライド案内溝２０に嵌入する嵌入突部３０が、背板３５の下端部に連設されている。
【００１０】
すなわち、背板３５は、左右端面に左右方向に突出し、上下方向に所定寸法を有するスライド用突条３５１，３５１が形成されている。
そして、左右仕切板３１，３１の後端部内面に形成された、スライド用突条３５１，３５１より上下方向に少なくとも嵌入突部３０より長いスライドライド用保持溝３１１、３１１に、スライド用突条３５１，３５１が嵌入して上下方向に移動可能となり、背板３５が、スライド案内溝２０の上方に位置すると、背板３５は自重によって下降し、下端部がブックエンド本体３０１の下方に突出し、嵌入突部３０として、スライド用案内溝２０に嵌入する。
符号３００は、左右仕切板３１，３１の下面、背板３５の裏面側左右端部、および、表面側下端部にもうけられた棚板２３、後板１３等との接触状態を緩和する緩衝材を示している。
【００１１】
尚、実施例では　ブックエンド３は左右にスライド自在な本立てにもうけられているが、棚板４の奥行きを小さ目に形成し、棚板４の後方にスライド案内溝２０を形成するようにすれば、棚板４をブックエンド載置用棚板として、ブックエンド３載置して使用する事も可能である。
又、本立て２の右本立て用側板２１と書棚１の右側板１１を兼用して、本立て２を固定式のものとするなど、適宜変更可能である。
【００１２】
【発明の効果】
本発明は、上記の如く構成されているので、請求項１に記載の発明によれば、書籍等の量に対応してブックエンドを移動させて、本立て用左右側板間とで、書籍等を挟持しておけば、ブックエンド本体に設けられた嵌入突部が、スライド案内溝に嵌入しているので、書籍の出し入れによって、ブックエンドが前後に移動することがなく、書籍等の整理を整然と行う事ができる。
【００１３】
又、請求項２に記載の発明によれば、上記効果に加え、嵌入突部はブックエンド本体下面より出入自在に構成されているので、机上等（平面上）適正な姿勢で使用することができる。
又、請求項３に記載の発明によれば、上記効果に加え、嵌入突部はブックエンド本体の背板下端部で兼用されているので、部材点数が削減でき安価に製作できる。
又、請求項４に記載の発明によれば、ブックエンド本体に引き出しが設けられているので、ブックエンドとして使用する場合であっても、又、単に机上に載置して使用される場合であっても、小物入れとして使用することが可能である。
【図面の簡単な説明】
【図１】本発明を具備した書棚の斜視図
【図２】本発明を具備した書棚の正面図
【図３】本立てを中央部に移動した状態の書棚の正面図
【図４】書棚の要部拡大縦断面図
【図５】ブックエンドの要部拡大縦断面図
【図６】ブックエンド本体の後側の斜視図
【図７】背板の斜視図
【符号の説明】
１　　　　　書棚
１１　　　　側板
１３　　　　後板
１３０　　　案内部
２　　　　　本立て
２０　　　　スライド案内溝
２１　　　　本立て用側板
２２　　　　ブックエンド載置用棚板
３　　　　　ブックエンド
３０　　　　嵌入突部
３０１　　　ブックエンド本体
３５　　　　背板
【図１】
2004049432.tif 000003
【図２】
2004049432.tif 000004
【図３】
2004049432.tif 000005
【図４】
2004049432.tif 000006
【図５】
2004049432.tif 000007
【図６】
2004049432.tif 000008
【図７】
2004049432.tif 000009